(57)【特許請求の範囲】
【請求項１】
屋根に設置物が設けられる際に使用される屋根用立体型防水シートであって、
一枚の防水シートが裁断され、切り込まれ、折曲されて立体成形され、前記防水シートの少なくとも一部は重なって、粘着テープにより接合され、
前記設置物が取り付けられる取付土台に被さる形状に、あらかじめ立体成形され、
前記取付土台は野地板上に形成されていて、当該屋根用立体型防水シートは前記野地板上にも延出し、
前記防水シートは、四角形の上板と、該上板の第１辺に連続した第１側面片と、前記第１辺に対向する第２辺に連続した第２側面片と、前記第１辺と交わる第３辺および第４辺にそれぞれ連続した第３側面片および第４側面片とを有し、前記第１側面片の外方には第１延出片が連続して形成され、前記第２側面片の外方には第２延出片が連続して形成され、前記第３側面片の外方には第３延出片が連続して形成され、前記第４側面片の外方には第４延出片が連続して形成された防水シートの、前記第１側面片と前記第３側面片の少なくとも一部どうしが重ねられ、前記第１側面片と前記第４側面片の少なくとも一部どうしが重ねられ、前記第２側面片と前記第３側面片の少なくとも一部どうしが重ねられ、前記第２側面片と前記第４側面片の少なくとも一部どうしが重ねられ、前記第１延出片と前記第３延出片の少なくとも一部どうしが重ねられ、前記第１延出片と前記第４延出片の少なくとも一部どうしが重ねられ、前記第２延出片と前記第３延出片の少なくとも一部どうしが重ねられ、前記第２延出片と前記第４延出片の少なくとも一部どうしが重ねられて立体に形成されていることを特徴とする立体型防水シート。
【請求項２】
屋根に設置物が設けられる際に使用される屋根用立体型防水シートであって、
一枚の防水シートが裁断され、切り込まれ、折曲されて立体成形され、前記防水シートの少なくとも一部は重なって、粘着テープにより接合され、
前記設置物が取り付けられる取付土台に被さる形状に、あらかじめ立体成形され、
前記取付土台は野地板上に形成されていて、当該屋根用立体型防水シートは前記野地板上にも延出し、
前記防水シートは、四角形の上板と、該上板の第１辺に連続した第１側面片と、前記第１辺に対向する第２辺に連続した第２側面片と、前記第１辺と交わる第３辺および第４辺にそれぞれ連続した第３側面片および第４側面片とを有し、前記第１側面片は、第１辺の方向に第１片と第２片とに分けられ、前記第２側面片は、第２辺の方向に第３片と第４片とに分けられ、前記第１片の外方には第１延出片が連続して形成され、前記第２片の外方には第２延出片が連続して形成され、前記第３片の外方には第３延出片が連続して形成され、前記第４片の外方には第４延出片が連続して形成され、前記第３側面片の外方には第５延出片が連続して形成され、前記第４側面片の外方には第６延出片が連続して形成された防水シートの、前記第１片と前記第２片の少なくとも一部どうしが重ねられ、前記第３片と前記第４片の少なくとも一部どうしが重ねられ、前記第１片と第３側面片の少なくとも一部どうしが重ねられ、前記第２片と第４側面片の一部どうしが重ねられ、前記第３片と第３側面片の少なくとも一部どうしが重ねられ、前記第４片と第４側面片の少なくとも一部どうしが重ねられ、前記第１延出片と前記第５延出片の少なくとも一部どうしが重ねられ、前記第２延出片と前記第６延出片の少なくとも一部どうしが重ねられ、前記第３延出片と前記第５延出片の少なくとも一部どうしが重ねられ、前記第４延出片と前記第６延出片の一部どうしが重ねられ、前記第１延出片と前記第２延出片の少なくとも一部どうしが重ねられ、前記第３延出片と前記第４延出片の少なくとも一部どうしが重ねられて立体に形成されていることを特徴とする立体型防水シート。
【請求項３】
上板には開口部が形成されていることを特徴とする請求項１または２に記載の立体型防水シート。
【請求項４】
前記切り込まれた切り込み部の端部を覆うようにラップテープが披着されていることを特徴とする請求項１ないし３のいずれか一項に記載の立体型防水シート。
【発明の詳細な説明】
【０００１】
【発明の属する技術分野】
本発明は天窓、太陽電池、換気設備などの設置物が設けられた屋根に使用される屋根用立体型防水シートに関する。
【０００２】
【従来の技術】
建築物の屋根は、通常、屋根の下地である野地板上にシート状のアスファルトルーフィングを敷き、これを釘、タッカーなどで固定することにより防水処理し、その上に瓦などの屋根葺きを行うことにより施工されている。ところが最近では、建築物の屋根の天場あるいは傾斜部に、太陽電池、換気設備、天窓などの設置物を設け、屋根上のスペースを活用する場合が増加している。そのため、野地板上に単にシート状のアスファルトルーフィングを敷設するだけの方法では、屋根を防水できない場合が多くなってきている。
【０００３】
すなわち、設置物を屋根に設ける場合には、まず、設置物を取付るための取付土台を野地板上に形成する必要がある。取付土台は棟台、足場などと呼ばれ、木材などの建材からなり、設置物に応じた形状に野地板上に形成されたもので、野地板上に突出した状態であることが多い。このような取付土台が形成されると、野地板上が平坦でなく凹凸形状になるため、単にシート状のアルファルトルーフィングを敷設する方法では対応できない。
そこで、設置物を屋根上に設ける場合、野地板上の設置物を設置しない部分にはアルファルトルーフィングを敷設し、一方、取付土台と野地板との接合部分周辺や、取付土台の周面などには複数枚の防水シートをこれら凹凸形状にあわせて継ぎ接ぎして貼り付けたり、粘着テープを貼り付けたり、あるいはこれらにコーキング剤を塗布したりして防水処理を行うことが多い。
【０００４】
ところが、これらの方法は煩雑で作業効率が低いうえ、高所において長時間の作業を要してしまう。また、現場での作業であるために作業精度が低く、防水シートを継ぎ接ぎして貼り付けても隙間が生じてしまう場合があった。さらに、作業者によって技術の熟練度や施工方法が異なるため、一定の防水性能が安定に得られない場合があった。
そのため、例えば特開平９−１８４２６３号公報には、棟台の上面まで覆う形状にあらかじめ成形された成形防水シートを使用して、棟台周辺を防水する方法が提案されている。
【０００５】
【発明が解決しようとする課題】
しかしながら、特開平９−１８４２６３号公報に開示されているような成形防水シートを製造する際には、通常、各面を構成するための複数枚の防水シートを用意し、これらを継ぐことにより行う。そのため、成形防水シートの製造には手間や時間がかかり、生産性が不十分であった。また、このように複数枚の防水シートを継いだ形態では継ぎ目から雨水などが浸入しやすく、防水性も十分ではなかった。
【０００６】
本発明は上記事情に鑑みてなされたもので、設置物を屋根に設ける場合でも、現場での作業が簡単で、要する時間が非常に短く、かつ、作業者によらずに安定して一定の防水性能が得られるとともに、簡単に製造でき、非常に防水性に優れた立体型屋根用防水シートを提供することを課題とする。
【０００７】
【課題を解決するための手段】
本発明の立体型防水シートは、屋根に設置物が設けられる際に使用される屋根用立体型防水シートであって、一枚の防水シートが裁断され、切り込まれ、折曲されて立体成形され、前記防水シートの少なくとも一部は重なって、粘着テープにより接合され、前記設置物が取り付けられる取付土台に被さる形状に、あらかじめ立体成形されていることを特徴とする。
前記切り込まれた切り込み部の端部にはラップテープが披着されていることが好ましい。
前記取付土台は野地板上に形成されていて、前記立体型防水シートは前記野地板上にも延出していることが好ましい。
【０００８】
また、本発明の立体型防水シートは、四角形の上板と、該上板の第１辺に連続した第１側面片と、前記第１辺に対向する第２辺に連続した第２側面片と、前記第１辺と交わる第３辺および第４辺にそれぞれ連続した第３側面片および第４側面片とを有し、前記第１側面片の外方には第１延出片が連続して形成され、前記第２側面片の外方には第２延出片が連続して形成され、前記第３側面片の外方には第３延出片が連続して形成され、前記第４側面片の外方には第４延出片が連続して形成された防水シートの、前記第１側面片と前記第３側面片の少なくとも一部どうしが重ねられ、前記第１側面片と前記第４側面片の少なくとも一部どうしが重ねられ、前記第２側面片と前記第３側面片の少なくとも一部どうしが重ねられ、前記第２側面片と前記第４側面片の少なくとも一部どうしが重ねられ、前記第１延出片と前記第３延出片の少なくとも一部どうしが重ねられ、前記第１延出片と前記第４延出片の少なくとも一部どうしが重ねられ、前記第２延出片と前記第３延出片の少なくとも一部どうしが重ねられ、前記第２延出片と前記第４延出片の少なくとも一部どうしが重ねられて立体に形成されているものが好ましい。
【０００９】
あるいは、本発明の立体型防水シートは、四角形の上板と、該上板の第１辺に連続した第１側面片と、前記第１辺に対向する第２辺に連続した第２側面片と、前記第１辺と交わる第３辺および第４辺にそれぞれ連続した第３側面片および第４側面片とを有し、前記第１側面片は、第１辺の方向に第１片と第２片とに分けられ、前記第２側面片は、第２辺の方向に第３片と第４片とに分けられ、前記第１片の外方には第１延出片が連続して形成され、前記第２片の外方には第２延出片が連続して形成され、前記第３片の外方には第３延出片が連続して形成され、前記第４片の外方には第４延出片が連続して形成され、前記第３側面片の外方には第５延出片が連続して形成され、前記第４側面片の外方には第６延出片が連続して形成されたも防水シートの、前記第１片と前記第２片の少なくとも一部どうしが重ねられ、前記第３片と前記第４片の少なくとも一部どうしが重ねられ、前記第１片と第３側面片の少なくとも一部どうしが重ねられ、前記第２片と第４側面片の一部どうしが重ねられ、前記第３片と第３側面片の少なくとも一部どうしが重ねられ、前記第４片と第４側面片の少なくとも一部どうしが重ねられ、前記第１延出片と前記第５延出片の少なくとも一部どうしが重ねられ、前記第２延出片と前記第６延出片の少なくとも一部どうしが重ねられ、前記第３延出片と前記第５延出片の少なくとも一部どうしが重ねられ、前記第４延出片と前記第６延出片の一部どうしが重ねられ、前記第１延出片と前記第２延出片の少なくとも一部どうしが重ねられ、前記第３延出片と前記第４延出片の少なくとも一部どうしが重ねられて立体に形成されているものが好ましい。
また、前記上板には開口部が形成されていてもよい。
【００１０】
【発明の実施の形態】
以下、本発明を詳しく説明する。
図１は本発明の立体型防水シート１０の一形態であって、図２に示す形態の換気設備２０を設置物として屋根上に設ける場合に使用されるものである。図３および図４は、図１の立体型防水シート１０を使用して、図２の換気設備２０を屋根の天場に設置した状態を示す斜視図および縦断面図である。この例においては、野地板２１上にアスファルトルーフィング２７を介して取付土台２２が固定され、この取付土台２２の上に図１の立体型防水シート１０が被せられている。そして、その上に換気設備２０が笠木２３を介してネジ２４で取り付けられている。取付土台２２は一般には、棟台、足場などと呼ばれるものであり、取り付けられる設置物の種類や形状に応じて、木材や建材が組立加工されたものである。また、符号２５は瓦、符号２６は棟面戸である。
【００１１】
図１の立体型防水シート１０は、換気設備２０が取り付けられる取付土台２２に被さる形状に、あらかじめ立体成形されているものであり、この例のものは取付土台２２に被さるとともに野地板２１上にまで延出し、取付土台２２とその周辺とを防水するものである。この例の立体型防水シート１０は、図２に示す形態の換気設備２０を設ける際に使用されるものであるので、換気に必要な開口部１１が形成されている。
このような立体型防水シート１０は、例えば図５に示すように、ゴムシート１２の一方の面にゴム系接着剤１３を含浸させた布帛１４が積層した形態の一枚の防水シート１５を裁断し、切り込み、折曲して立体成形される。なお、ここで一枚の防水シート１５は、複数枚の防水シートを継いだものではなければ制限はなく、その構造は、図５のような積層構造でも一層構造でもよい。
【００１２】
ゴムシート１２としては、例えばＥＰＤＭ（エチレン・プロピレンゴム）とブチルゴムのブレンドゴムからなるものが使用される。このようなブレンドゴムを使用すると平滑性の良好なゴムシート１２が得られ好ましい。また、ゴムシート１２の厚みは３００〜７００μｍ程度が好ましい。３００μｍ未満では、十分な防水性と強度とが得られない場合がある。一方、７００μｍを超えると、このゴムシート１２を備えた防水シート１５の加工性が低下し、立体型防水シート１０を立体成形することが難しくなる場合があり、また、折曲箇所において反発力が発生し隙間が生じたり、接合箇所において段差が生じ、ここから水が浸入しやすくなる場合などがある。
ゴムシート１２の一方の面に設けられる布帛１４としては、例えばポリエステル織布が挙げられる。ポリエステル織布は耐熱性が優れ、１００℃で１０００時間養生した場合でも寸法変化が認められないため好適である。布帛１４の厚みは１００〜３００μｍである。１００μｍ未満では、引張応力が低く切れやすくなる傾向があり、一方３００μｍを超えると、この布帛１４自体が吸水し易くなるとともに、後述するように、布帛１４に粘着テープを貼った場合に粘着テープと布帛１４との間に隙間ができやすくなる傾向がある。
そして、この布帛１４をゴムシート１２の一方の面に設ける場合には、あらかじめこの布帛１４にゴム系接着剤１３を含浸させ、このゴム系接着剤１３の接着性により布帛１４とゴムシート１２とを接着し、一体化する。ゴム系接着剤１３としては、接着性に優れ、水と相溶しないブチルゴム系接着剤が好ましく、布帛１４の重量に対するゴム系接着剤の含浸量は、０．１〜０．３ｋｇ／ｍ2 程度である。
【００１３】
このような防水シート１５は、高い防水性を備えていることはもちろん、ゴムシート１２の一方の面に布帛１４が備えられているので、ゴムシート１２の弾性が抑えられ立体成形しやすい。また、布帛１４にはゴム系接着剤１３が含浸されているので、ゴムシート１２と布帛１４とが良好に一体化するとともに、布帛１４にも防水性が与えられ、より防水性の優れた防水シート１５となる。また、布帛１４に含浸されたゴム系接着剤１３によって布帛１４自体が接着性を備えるため、この布帛１４側が取付土台２２に接するように、すなわち内側になるようにして立体型防水シート１０を立体成形すると、これを取付土台２２に被せた場合に立体型防水シート１０が取付土台２２や、図４の例においては野地板２１上のアスファルトルーフィング２７にも密着し、防水性がより高まる。また、防水シート１５の厚みが０．５ｍｍ以下であると、この防水シート１５を裁断および折曲して立体成形し、防水シート１５の一部を重なり合わせて接合した場合でも厚みを小さくでき、段差が抑えられるため好ましい。
【００１４】
この図１の例の立体型防水シート１０は、例えば、上述の防水シート１５を図６に示すように太実線に沿って裁断あるいは切り込みし、破線を山折りとし、一点破線を谷折りとして折曲することにより立体成形できる。
図６の防水シート１５は、四角形の上板４０と、この上板４０の第１辺４１に連続した第１側面片４２と、第１辺４１に対向する第２辺４３に連続した第２側面片４４と、第１辺４１と交わる第３辺４５および第４辺４６にそれぞれ連続した第３側面片４７および第４側面片４８とを有している。そして、第１側面片４２は、第１辺４１の方向に第１片４２ａと第２片４２ｂとに分けられ、これら第１片４２ａと第２片４２ｂの外方には第１延出片４９と第２延出片５０とがそれぞれに連続して形成されている。また、第２側面片４４は、第２辺４３の方向に第３片４４ａと第４片４４ｂとに分けられ、これら第３片４４ａと第４片４４ｂの外方には第３延出片５１と第４延出片５２とがそれぞれに連続して形成されている。一方、第３側面片４７の外方には第５延出片５３が連続して形成され、前記第４側面片４８の外方には第６延出片５４が連続して形成されている。
このような防水シート１５の第１片４２ａと第２片４２ｂの少なくとも一部どうしを重ね、第３片４４ａと第４片４４ｂの少なくとも一部どうしを重ね、第１片４２ａと第３側面片４７の少なくとも一部どうしを重ね、第２片４２ｂと第４側面片４８の一部どうしを重ね、第３片４４ａと第３側面片４７の少なくとも一部どうしを重ね、第４片４４ｂと第４側面片４８の少なくとも一部どうしを重ねる。また、第１延出片４９と第５延出片５３の少なくとも一部どうしを重ね、第２延出片５０と第６延出片５４の少なくとも一部どうしを重ね、第３延出片５１と第５延出片５３の少なくとも一部どうしを重ね、第４延出片５２と第６延出片５４の一部どうしを重ねる。そして、第１延出片４９と第２延出片５０の少なくとも一部どうしを重ね、第３延出片５１と第４延出片５２の少なくとも一部どうしを重ねることによって、図１の立体型防水シート１０を形成できる。
なおこの例の防水シート１５は、換気設備２０を設置する際に使用するものなので、上板には開口部１１が形成されている。
【００１５】
また、図６中、斜線部は立体成形することによって他の部分と重なる部分であり、この部分は両面に粘着性を有する粘着テープにより接合される。斜線部のうち実線の斜線部においては、防水シート１５の外面側に粘着テープを貼着し、この上に対応する他の部分を貼りあわせる。一方、破線斜線部においては、防水シート１５の内面側に粘着テープを粘着し、その下から対応する他の部分を貼りあわせる。
また、図６中、符号Ａの線条部と符号Ａ’の線条部とが一体となり立体型防水シートの辺を形成する。符号ＢとＢ’、符号ＣとＣ’、・・・・、符号ＬとＬ’も同様である。
また、防水シート１５として、図５のようなゴムシート１２の一方の面にゴム系接着剤１３を含浸させた布帛１４が積層した形態の防水シート１５を使用する場合には、布帛１４側が内側になるようにする。その結果、外側のゴムシートが確実に水をはじくとともに、立体型防水シート１０を取付土台２２に被せた場合に内側の布帛１４が、取付土台２２やアスファルトフーフィング２７に密着し、防水性が高まる。
【００１６】
防水シート１５の少なくとも一部を重ね、そこを接合する際に使用する粘着テープとしては、ブチルゴム、アクリルゴム、ウレタンゴム、ＳＩＳ（ポリスチレン−ポリイソプレン−ポリスチレン共重合体）、ＳＢＳ（ポリスチレン−ポリブタジエン−ポリスチレン共重合体）などからなるテープを使用できる。これらのなかでは、特に粘着性に優れ、耐候性、耐熱性、耐火性なども良好で、かつ、安価であることからブチルゴムを使用することが好ましい。テープの厚みは０．２〜０．５ｍｍ程度である。こうしてブチルゴムテープなどの粘着テープを使用して接合することによって、重なった部分からの水の浸入も防止することができる。
【００１７】
また、こうして得られた立体型防水シート１０において、特に防水シート１５が切り込まれた切り込み部１６の端部には、図７に示すようにラップテープ１７を披着することが好ましい。このように切り込み部１６の端部にラップテープ１７を披着することによって、切り込み部１６からの雨水の浸入をより確実に防止できるとともに、重なった部分に貼着された粘着テープが、長期間のうちに外部からの応力などで剥がれた場合やずれが生じた場合でも、防水性を維持することができる。なお、粘着テープとして、０．３〜０．５ｍｍ程度の比較的厚みの大きな粘着テープを使用する場合には、粘着テープの一部がラップテープ１７とも直接接合するように、粘着テープを図６斜線部よりも若干はみ出すように貼着させることが好ましい。
【００１８】
ラップテープ１７としては、図８に例示するような、例えば無延伸ポリプロピレン樹脂シート１７ａの一方の面に粘着層１７ｂを備えたものが好ましい。
無延伸ポリプロピレン樹脂シート１７ａとしては、キャスティングポリプロピレン樹脂（ＣＰＰ）フィルムなどが挙げられ、５０モル％以上のプロピレン単位成分を有する結晶性混合物を、配向させることなく無延伸状態で均一な厚みにフィルム化したものなどを使用する。このような無延伸ポリプロピレン樹脂シート１７ａは、ある程度までの伸びには復元性があるが一定の伸びを超えると復元しない。例えば、厚みが５０μｍの無延伸ポリプロピレン樹脂シート１７ａは、３０％までの伸びには復元するが、それより大きな伸びには復元せず、残留応力を持たない。よって、このような無延伸ポリプロピレン樹脂シート１７ａを備えたラップテープ１７を使用すると、立体型防水シート１０のに応力が加わって重なった部分の粘着テープが剥がれそうになっても、このラップテープ１７がその応力に対応してある程度まで伸び、切れないため、立体型防水シート１０の防水性を維持できる。また、この無延伸ポリプロピレン樹脂シート１７ａは、ある一定の伸び以上になると残留応力を持たなくなるので、収縮しようとして剥がれてしまうこともない。さらにこのような無延伸ポリプロピレン樹脂シート１７ａは、−３０℃程度の低温から＋１５０℃程度の高温までの広い範囲において、優れた耐衝撃性、物理特性を示すうえ、寸法の変化が少ない。よって、屋外での使用（−２０℃〜＋８０℃）に十分に適する。
【００１９】
一方、ラップテープ１７の粘着層１７ｂには、水と相溶せず、粘着性、流動性の大きなブチルゴムやゴムアスファルトなどの粘着材が使用される。これらは凝集力が大きく、−２０℃〜＋８０℃の範囲では常に軟質で応力によって流動する。よって、立体型防水シート１０の切り込み部１６近傍に応力が加わっても、その応力に対応して流動し、小さな隙間も埋めることができる。粘着材としては、１ｍｍ厚でのインチ平方の断面でのずり応力が５〜１０ｋｇ／インチ2 で、この時の伸びが１０００％以上であるものが適している。
【００２０】
次に図９〜図１０を示し、図１の例の立体型防水シート１０を使用して図２の換気設備２０を屋根の天場に設置する工程を説明する。
まず、図９（ａ）に示すように、野地板２１の上にアスファルトルーフィング２７を敷設し、その上にあらかじめ木材が組立加工されて形成された取付土台２２を載置し、図示略のネジなどで固定する。取付土台２２には、この上に設置する換気設備２０の用途および形状に対応して開口部２２ａが形成されている。
ついで、この取付土台２２上に、図９（ｂ）〜（ｃ）に示すように図１の立体型防水シート１０を被せ、テープ２９でこれをアスファルトルーフィング２７に固定するとともに、図示略のタッカーなどの締結具を使用して、立体型防水シート１０を適宜野地板２１と、野地板２１の下方にある図示略の垂木とに固定する。
【００２１】
ついで、図１０（ａ）に示すように、取付土台２２の取り付けられていない棟部分に４本の木桟２８を取り付けて固定するとともに、アスファルトルーフィング２７における、取付土台２２の開口部２２ａおよび立体型防水シート１０の開口部１１に対応する不要部分２７ａを切り取る。そして、図示は略すが、アスファルトルーフィング２７上および立体体型防水シート１０の延出している部分の上に瓦を葺く。
そして、図１０（ｂ）に示すように、立体型防水シート１０および木桟２８上の所定位置に２枚の笠木２３を取付け、その上に、２枚の棟包み３０を固定し、さらにこれら２枚の棟包み３０の間に、開口部３１ａが形成された１枚の棟包み３１を固定する。
ついで図１０（ｃ）に示すように、換気設備２０の下部材２０ａ、上部材２０ｂを順次載置して固定することにより、図３および図４のように屋根の天場に換気設備２０を設置することができる。
【００２２】
また、本発明の立体型防水シート１０は、設置物として換気設備２０を設ける場合だけでなく、例えば、太陽電池、天窓など様々な設置物を設ける場合に最適である。
例えば、太陽電池や天窓を屋根の傾斜部に設ける場合には、図１１に示すような形態の立体型防水シート１０を使用する。これを製造する場合には、図１２に示すように太実線に沿って裁断され、切り込まれた防水シート１５を使用し、これの破線を山折り、一点破線を谷折りとして折曲する。
この図示例の防水シート１５は、開口部１１が形成された四角形の上板６０と、この上板６０の第１辺６１に連続した第１側面片６２と、第１辺６１に対向する第２辺６３に連続した第２側面片６４と、第１辺６１と交わる第３辺６５および第４辺６６にそれぞれ連続した第３側面片６７および第４側面片６８とを有している。第１側面片６２の外方には第１延出片６９が連続して形成され、第２側面片６４の外方には第２延出片７０が連続して形成され、第３側面片６７の外方には第３延出片７１が連続して形成され、第４側面片６８の外方には第４延出片７２が連続して形成されている。
そして、第１側面片６２と第３側面片６７の少なくとも一部どうしを重ね、第１側面片６２と第４側面片６８の少なくとも一部どうしを重ね、第２側面片６４と第３側面片６７の少なくとも一部どうしを重ね、第２側面片６４と第４側面片６８の少なくとも一部どうしを重ねる。そしてさらに、第１延出片６９と第３延出片７１の少なくとも一部どうしを重ね、第１延出片６９と第４延出片７２の少なくとも一部どうしを重ね、第２延出片７０と第３延出片７１の少なくとも一部どうしを重ね、第２延出片７０と第４延出片７２の少なくとも一部どうしを重ねる。
図１２中、斜線部は立体成形することによって他の部分と重なる部分であり、両面に粘着性を有する粘着テープにより接合される。また、切り込み部１６の端部にはラップテープを被着することが好ましい。
【００２３】
このような立体型防水シート１０は、一枚の防水シート１５が裁断され、切り込まれ、折曲されて立体成形され、防水シート１５の少なくとも一部は重なって、粘着テープにより接合されて、設置物が取り付けられる取付土台２２に被さる形状に、あらかじめ立体成形されたものである。よって、これを屋根の所定位置に配置して固定するだけの簡単かつ短時間の作業で、確実な防水処理を行える。そして、特にこの立体型防水シート１０は、一枚の防水シート１５から形成されているので、従来のように複数枚の防水シートを継いで製造されたものにくらべて非常に防水性が高い。さらに、このような立体型防水シート１０を配置、固定する作業は簡単であって熟練を要しないため、作業者によらずに安定して一定の防水性能が得られる。また、短時間の簡単な作業なので高所作業における作業者の安全も高まる。
そして、切り込み部１６の端部を覆うようにラップテープ１７を披着することにより、長期間の使用のうち粘着テープが外部からの応力などで剥がれた場合やずれが生じた場合でも、防水性を維持できる。
また特に、取付土台２２が野地板２１上に形成されている場合、防水シート１５が野地板２１上にまで延出するように立体型防水シート１０が形成されていると、凹凸形状で高度に防水するのが困難であり、非常に手間がかかった取付土台２２の周辺をも確実に防水できる。
また、この立体型防水シート１０は、一枚の防水シート１５を、設置物の形状に合った型に裁断し、切り込みを入れた後折曲し、少なくとも一部を重ね、粘着テープで接合するだけの簡単な方法で得られるので、あらかじめ大量に製造することが容易であり、複数の形状の防水シートを裁断、用意し、これを継いで製造していた従来のものに比べて非常に効率的である。また、粘着テープで接合しているので、接合部分の防水性も高く維持できる。
このような立体型防水シート１０は、換気設備２０だけでなく、太陽電池、天窓など様々な設置物を屋根の天場や傾斜部に設ける場合に有効である。
【００２４】
【発明の効果】
以上説明したように本発明の立体型防水シートを使用することによって、設置物を取り付けるための取付土台が形成された凹凸形状の屋根であっても、簡単かつ短時間の作業で、安全かつ非常に確実に防水処理を行える。また本発明の立体型防水シートは簡単に大量に製造できるので、設置物を設ける形態の屋根の増加にも対応可能である。
【図面の簡単な説明】
【図１】  本発明の立体型防水シートの一形態を示す斜視図である。
【図２】  図１の立体型防水シートを使用して設置する換気設備の斜視図である。
【図３】  図１の立体型防水シートを使用して、図２の換気設備を屋根に設置した状態を示す斜視図である。
【図４】  図３のＡ−Ａ’線に沿う縦断面図である。
【図５】  図１の立体型防水シートに使用する防水シートの一例を示す断面図である。
【図６】  図１の立体型防水シートを形成するための防水シートの形状を示す平面図である。
【図７】  本発明の立体型防水シートの他の形態を示す部分拡大斜視部である。
【図８】  図７の立体型防水シートに使用するラップテープの一例を示す断面図である。
【図９】  図１の立体型防水シートを、屋根の上に取り付ける様子を示す工程図である。
【図１０】  図９の工程後、換気設備を設ける様子を示す工程図である。
【図１１】  本発明の立体型防水シート他の一形態を示す斜視図である。
【図１２】  図１１の立体型防水シートを形成するための防水シートの形状を示す平面図である。
【符号の説明】
１０…立体型防水シート、１５…防水シート、１６…切り込み部、２１…野地板、２２…取付土台、４０、６０…上板、４１、６１…第１辺、４２、６２…第１側面片、４２ａ…第１片、４２ｂ…第２片、４３、６３…第２辺、４４、６４…第２側面片、４４ａ…第３片、４４ｂ…第４片、４５、６５…第３辺、４６、６６…第４辺、４７、６７…第３側面片、４８、６８…第４側面片、４９、６９…第１延出片、５０、７０…第２延出片、５１、７１…第３延出片、５２、７２…第４延出片、５３…第５延出片、５４…第６延出片
【図１】
0004694028.tif 000002
【図２】
0004694028.tif 000003
【図３】
0004694028.tif 000004
【図４】
0004694028.tif 000005
【図５】
0004694028.tif 000006
【図６】
0004694028.tif 000007
【図７】
0004694028.tif 000008
【図８】
0004694028.tif 000009
【図９】
0004694028.tif 000010
【図１０】
0004694028.tif 000011
【図１１】
0004694028.tif 000012
【図１２】
0004694028.tif 000013